(57)【要約】【課題】  自動取引装置の収納部を破壊や盗難から防護するもので、工具などでこじ開けられ易い隙間がなく、しかも取り付け取り外しが容易なプロテクターを提供する。【解決手段】  水平断面がコの字状になるように一体に形成され、前記自動取引装置の収納部の前面、両側面及び上縁を防護する防護カバーと、防護カバーの下方及び前方への移動を阻止し上方への移動可能に係合する係合手段と、キーを閉じた時防護カバーの上方への移動を阻止し、開いた時上方への移動を可能とする施錠手段とからなり、防護カバーの上縁は、収納部と防護カバーの前面部及び両側面部との間に生じる隙間を覆うように形成してなり、係合手段及び施錠手段は、防護カバー前面部に設けられるカバー部と、自動取引装置の収納部前扉に固着される装着部とからなることを特徴とする。【選択図】      図１
0003104940.tif 000002
【実用新案登録請求の範囲】
【請求項１】
現金や商品を収納する収納部を有する自動取引装置を破壊や盗難から防護するプロテクターであって、
水平断面がコの字状になるように一体に形成され、前記自動取引装置の収納部の前面、両側面及び上縁を防護する防護カバーと、
前記自動取引装置の収納部と前記防護カバーとを、防護カバーの下方及び前方への移動を阻止し上方への移動可能に係合する係合手段と、
キーを閉じた時防護カバーの上方への移動を阻止し、開いた時上方への移動を可能とする施錠手段とからなり、
前記防護カバーの上縁は、前記収納部と防護カバーの前面部及び両側面部との間に生じる隙間を覆うように形成してなり、
前記係合手段及び施錠手段は、前記防護カバー前面部に設けられるカバー部と、前記自動取引装置の収納部前扉に固着される装着部とからなることを特徴とする自動取引装置用プロテクター。
【請求項２】
請求項１記載の自動取引装置用プロテクターにおいて、
前記防護カバーは、アルミニウム材からなることを特徴とする自動取引装置用プロテクター。
【請求項３】
請求項１又は２記載の自動取引装置用プロテクターにおいて、
前記係合手段は、前記自動取引装置の前扉に装着された下地部材と、下地部材の上方に設けられた上方係止部と、その下方に設けられた下方係止部と、
前記防護カバーの前面部の裏面に設けられた、前記上方係止部に係合する上方懸垂部と、前記下方係止部に係合する下方懸垂部とからなることを特徴とする自動取引装置用プロテクター。
【請求項４】
請求項３記載の自動取引装置用プロテクターにおいて、
前記下地部材は、前記自動取引装置の前扉の裏面に着設物のない安全位置表面に螺着可能に配設されることを特徴とする自動取引装置用プロテクター。
【請求項５】
請求項３又は４に記載の自動取引装置用プロテクターにおいて、
前記下地部材は、コの字状に形成された金属板であり、前記上方係止部及び下方係止部は、前記下地部材上辺及び下辺それぞれの少なくとも２箇所に設けられた支持具と、その支持具に支持された円柱バーとからなることを特徴とする自動取引装置用プロテクター。    
【請求項６】
請求項１乃至５のいずれかに記載の自動取引装置用プロテクターにおいて、
前記施錠手段は、前記自動取引装置の前扉に装着された下地部材と、下地部材の適所に取りつけられたほぼ水平板状の突出部を有するストッパーと、前記防護カバーに取り付けられたピッキング対策用シリンダー錠と、その内筒の先端にとりつけられた回動部材と、キーとを有し、シリンダー錠のキー孔にキーを挿入して閉じる方向に回動したとき前記回動部材の端部が前記ストッパーの下面に当接するよう前記シリンダー錠と前記ストッパーの相対位置を選択してなり、前記当接した状態でキーを抜いた時その状態でロックされることを特徴とする自動取引装置用プロテクター。
【請求項７】
請求項６記載の自動取引装置用プロテクターにおいて、
前記施錠手段の回動部材は、その片端が前記シリンダー錠の内筒の先端にとりつけられた半円環状の部材であり、前記内筒断面の中心と前記円環状部材の他端とを結ぶ直線は、前記ストッパー下面と、前記内筒断面の中心とを結ぶ直線を上限として、下方に所定の角度まで回動可能とすることを特徴とする自動取引装置用プロテクター。  
【請求項８】
請求項１乃至７のいずれかに記載の自動取引装置用プロテクターを構成する部材からなる自動取引装置用プロテクターキットであって、
前記自動取引装置の収納部前面、両側面及び上縁を覆うように装着可能に形成され、その前面部に、前記係合手段及び施錠手段のカバー部を有する防護カバーと、
前記収納部の前扉に装着される係合手段及び施錠手段の装着部とを有することを特徴とする自動取引装置用プロテクターキット。
【考案の詳細な説明】
【技術分野】
【０００１】
本考案は、銀行、証券会社などに設置される現金自動取引装置（以下「ＡＴＭ」という）や、スーパー、コンビニなどに設置される自動販売機等、現金や商品などの自動取引装置を破壊や盗難から防護するプロテクターに関するものである。
【背景技術】
【０００２】
近年自動取引装置は、人件費の削減とサービスの向上の要望に応えるため設置台数が急速に増加している。そして、これらの自動取引装置のなかには、夜間無人の状態でも使えるようにしたものも増えている。そのため無人の時間帯を狙った盗難がふえておりその防止策が求められている。
【０００３】
その防止策として、プロテクターを設けて、工具などを利用して現金などの収納部を取り出すに至るまでの時間をできるだけ長引かせること、プロテクターを破壊されたときにできるだけ早く検知して警備センターに自動通報するシステムを備えることが行なわれている。
【０００４】
プロテクターとして、実開平４−８６９７８のように、内部に自動取引装置を収納するようにし、前面に開閉自在な主扉を有する電話ボックス形のものがある。このタイプのプロテクターは、主扉を閉じて施錠しておけば、自動取引装置の全方位が防護される。しかし、主扉を開けておかねば、使用できないから、前面に主扉を開けるためのスペースを必要ととする。また、夜間などは主扉を閉じておかないと防護できないから、無人使用には適さないという問題がある。
【０００５】
この点を改良したものとして、例えば実開平５−８７１８７の防犯保護装置がある。
このプロテクターは、図７に示すように、自動取引装置５０の収納部５１を防護するためのもので、操作部５２は常時オープンであるから、２４時間使用に適している。
プロテクター６０は、基板６１上に立設されたサイドフレーム６２，６３と防護扉６４、施錠手段６５、押しネジ６６等で構成されている。防護扉６４の左端はサイドフレーム６２に回動自在に結合され、右端はオープンの状態Ｂから回動されてＢ′となると、図示しない凸部がサイドフレーム６３に設けられた図示しない凹部に嵌合され、施錠手段６５によりロックされるようになっている。このタイプのプロテクターは、破壊されにくいようにするため、多くの場合鉄を材料としており大変重い。このプロテクター６０の場合、防護扉６４を開いた時、防護扉６４の重みでその右端が下がり、サイドフレーム６２側の基板６１が上方に曲がってしまう。押しネジ６６は、それを防止するため設けられたものである。
【特許文献１】実開平４−８６９７８号公報
【特許文献２】実開平５−８７１８７号公報
【考案の開示】
【考案が解決しようとする課題】
【０００６】
上記プロテクター６０によれば、自動取引装置５０の前面及び両側面が、防護扉６４やサイドフレーム６２、６３によって保護される。しかし、自動取引装置５０とプロテクター６０との間には、どうしても隙間が生じるため、そこにバール等の工具を挿し入れて破壊されるという問題がある。また、据え置き型であるため自動取引装置の基板と同一平面状に据え置く基板が必要である。そのため、上記のように基板が曲がるのを防ぐための機構が必要となるという問題がある。
【０００７】
本考案は、上記問題点を解決するためになされたもので、操作部は常時オープンとし、自動取引装置とプロテクターとの間に、バール等でこじ開けられるような隙間がなく、しかも据付けのための基板を必要としない自動取引装置用プロテクターの提供を課題とする。
【課題を解決するための手段及び考案の効果】
【０００８】
請求項１の自動取引装置用プロテクターは、現金や商品を収納する収納部を有する自動取引装置を破壊や盗難から防護するプロテクターであって、
水平断面がコの字状になるように一体に形成され、前記自動取引装置の収納部の前面、両側面及び上縁を防護する防護カバーと、
前記自動取引装置の収納部と前記防護カバーとを、防護カバーの下方及び前方への移動を阻止し上方への移動可能に係合する係合手段と、
キーを閉じた時防護カバーの上方への移動を阻止し、開いた時上方への移動を可能とする施錠手段とからなり、
前記防護カバーの上縁は、前記収納部と防護カバーの前面部及び両側面部との間に生じる隙間を覆うように形成してなり、
前記係合手段及び施錠手段は、前記防護カバー前面部に設けられるカバー部と、前記自動取引装置の収納部前扉に固着される装着部とからなることを特徴とする。
【０００９】
請求項１記載の考案によれば、自動取引装置の収納部と防護カバーとは係合手段を介して着脱可能に係合され、キーを閉じたときは、防護カバーの上下及び前方への移動が阻止され、もともと移動できない左右及び後方への移動と合わせ、全方位への移動が阻止される。また防護カバーの上縁が収納部と防護カバーの前面部及び両側面部との間に生じる隙間を覆うように形成されているので、バール等を隙間にこじ入れて破壊することができなくなる。
また、防護カバーは、自動取引装置本体に係合するので、基板に据えつける必要が無く設置が簡単である。
【００１０】
請求項２記載の考案は、請求項１記載の自動取引装置用プロテクターにおいて、
前記防護カバーは、アルミニウム材からなることを特徴とする。
【００１１】
請求項２記載の考案によれば、防護カバーがアルミニウム材からなるので、鉄材と同等の強度とするため、厚くしても、なおかつ鉄材製のものより軽いので、取り扱いが容易である。
【００１２】
請求項３記載の考案は、請求項１又は２記載の自動取引装置用プロテクターにおいて、  前記係合手段は、前記自動取引装置の前扉に装着された下地部材と、下地部材の上方に設けられた上方係止部と、その下方に設けられた下方係止部と、
前記防護カバーの前面部の裏面に設けられた、前記上方係止部に係合する上方懸垂部と、前記下方係止部に係合する下方懸垂部とからなることを特徴とする。
【００１３】
請求項３の考案によれば、自動取引装置の前扉に設けた上方係止部に防護カバーの上方懸垂部を、そして下方係止部に下方懸垂部を係合するように、自動取引装置の収納部上部から、防護カバーをはめ込むだけで、防護カバーは、上下２箇所で収納装置にしっかりと固定され、また、外すのも容易である。また上方係止部及び下部係止部は、下地部材を介して自動取引装置の前扉に取り付けられるので、自動取引装置をいためることがない。
【００１４】
請求項４記載の考案は、請求項３記載の自動取引装置用プロテクターにおいて、
前記下地部材は、前記自動取引装置の前扉の裏面に着設物のない安全位置表面に螺着可能に配設されることを特徴とする。
【００１５】
請求項４記載の考案によれば、下地部材は自動取引装置の前扉の裏面の着設物がない安全位置表面に螺着されるので、内部の機器を損傷するおそれがない。  
【００１６】
請求項５記載の考案は、請求項３又は４に記載の自動取引装置用プロテクターにおいて、
前記下地部材は、コの字状に形成された金属板であり、前記上方係止部及び下方係止部は、前記下地部材上辺及び下辺それぞれの少なくとも２箇所に設けられた支持具と、その支持具に支持された円柱バーとからなることを特徴とする。
【００１７】
請求項５記載の考案によれば、下地部材の上辺と下辺がほぼ平行であるから、上方係止部及び下方係止部の円柱バーを、ほぼ平行に配設することが容易であり、また、円柱バーは、防護カバーの裏面に設けられる上方懸垂部及び下方懸垂部を係合することが容易である。
【００１８】
請求項６記載の考案は、請求項１乃至５のいずれかに記載の自動取引装置用プロテクターにおいて、
前記施錠手段は、前記自動取引装置の前扉に装着された下地部材と、下地部材の適所に取りつけられたほぼ水平板状の突出部を有するストッパーと、前記防護カバーに取り付けられたピッキング対策用シリンダー錠と、その内筒の先端にとりつけられた回動部材と、キーとを有し、シリンダー錠のキー孔にキーを挿入して閉じる方向に回動したとき前記回動部材の端部が前記ストッパーの下面に当接するよう前記シリンダー錠と前記ストッパーの相対位置を選択してなり、前記当接した状態でキーを抜いた時その状態でロックされることを特徴とする。
【００１９】
請求項６記載の考案によれば、ストッパーは水平板状であるから、回動部材の端部がストッパーに当接するようシリンダー錠の取り付け位置を選択する事が容易であり、また、当接した位置でキーを抜くとロックされるので、施錠が容易である。また、ピッキング対策用シリンダー錠を用いているので、ピッキングで開錠されるおそれもない。
【００２０】
請求項７記載の考案は、請求項６記載の自動取引装置用プロテクターにおいて、
前記施錠手段の回動部材は、その片端が前記シリンダー錠の内筒の先端にとりつけられた半円環状の部材であり、前記内筒断面中心と前記円環状部材の他端とを結ぶ直線は、前記ストッパー下面と、前記内筒断面の中心とを結ぶ直線を上限として、下方に所定の角度まで回動可能とすることを特徴とする。  
【００２１】
請求項７記載の考案によれば、回動部材が半円環状の部材であるから、施錠状態で、上方へ引き上げようとする力が働いた時に応力が均一に分散されるので、折損する可能性が低い。また、所定の角度に回動したとき、上方への移動がストッパーに阻害されることなくスムースに行われる。
【００２２】
請求項８記載の考案は、請求項１乃至７のいずれかに記載の自動取引装置用プロテクターを構成する部材からなる自動取引装置用プロテクターキットであって、
前記自動取引装置の収納部の前面及び両側面を覆うように装着可能に形成され、その裏面に、前記係合手段及び施錠手段のカバー部を有する防護カバーと、
前記収納部の前扉に装着される係合手段及び施錠手段の装着部とを有することを特徴とする。
【００２３】
請求項８記載の考案によれば、防護カバーを自動取引装置の収納部前面及び両側面に装着可能に形成し、係合手段及び施錠手段のカバー部と、収納部前面に装着する装着部とを、相互に係合可能、施錠可能に形成することが容易であるから、種々の自動取引装置の形状と機能に応じた種々の自動取引装置用プロテクターキットの提供ができる。
【考案を実施するための最良の形態】
【００２４】
次に、図面に基づいて、本考案の好適な実施の形態について説明する。
自動取引装置としては、現金自動取引装置（以下「ＡＴＭ」という）を例として説明するが、これに限定されるものではない。
【００２５】
図１は、ＡＴＭ（壁面からの露出部）と、本考案の自動取引装置用プロテクターの実施の形態を示す斜視図、図２は、プロテクターの主要部である防護カバーの背面図、図３は、図２の防護カバーのＡ−Ａ′断面図、図４は、図２のＢーＢ′断面図、図５は、係合手段及び施錠手段の装着部の正面図、図６は回動部材の説明図である。
【００２６】
図１において、図１（ａ）は、自動取引装置用プロテクター１の防護カバー１０をその裏面側からみた斜視図、図１（ｂ）は、ＡＴＭ５０とそれに被せようとする防護カバー１０を前面側からみた斜視図である。
図１において、自動取引装置用プロテクター１は、ＡＴＭ５０に装着される防護カバー１０と、ＡＴＭの前扉５４に取り付けられた装着部２０とで構成される。
【００２７】
先ず、図１、図２に基づいて、防護カバー１０について説明する。防護カバー１０は、側壁部１１，１２と、前面部１３とが水平断面がコの字状になるようにアルミニウム材を一体に成形加工した本体とそれに取り付けられた後述する係合手段及び施錠手段のカバー部とからなる。そしてその上縁１４は，側壁部１４ａと側壁カバー部１４ｂと前面カバー部１４ｃとからなる。
また、前面部１３には、後述する係合手段のカバー部である上方係止部１５と下方係止部１６、及び施錠手段のカバー部であるシリンダー錠３２と回動部材３３、３３が設けられている。
【００２８】
次に、防護カバー１０の上縁１４について、詳述する。防護カバー１０の上縁１４のうち、前面カバー部１４ｃは、図３に示すようにＡＴＭの収納部５１の上蓋５３の前端部５３ｆをカバーしている。また、側壁カバー部１４ｂは、図４に示すように、上蓋５３の側端部５３ｓをカバーしている。ＡＴＭの上蓋５３と前扉５４との間の隙間ｇも、前面、側面とも防護カバー１０で覆われることになり、露出した隙間は無くなるので、バールなどでこじ開けられるようなおそれはない。
【００２９】
次に、係合手段及び施錠手段のカバー部について説明する。係合手段のカバー部は、防護カバーの前面部１３の裏面に設けられる上方懸垂部１５と下方懸垂部１６からなり、施錠手段のカバー部は、防護カバーの前面部１３に取り付けられたピッキング対策用シリンダー錠３２と、裏面に突出するその内筒の先端に取り付けられた回動部材３３からなる。  
【００３０】
上方懸垂部１５は、図２、図３に示すように、防護カバー１０の前面部の裏面上方に水平に取り付けられた台座１５ｃと、その上に設けられた複数の逆釣り針状の懸垂具１５ａ、１５ｂとからなる。下方懸垂部１６は、図２に示すように、防護カバー前面部の裏面下方に水平に取り付けられた台座１６ｂと、その上に設けられた逆釣り針状の懸垂具１６ａとからなる。断面は図示しないが、図３の１５ａ、１５ｃと同様である。
【００３１】
ピッキング対策用シリンダー錠３２は、例えば美和ロック株式会社製のシリンダー錠ＶＭ９９−ＳＨＣＺなどが好適であるが、これに限定されるものではない。回動部材３３は、図６に示すように、半円環状の本体３３ａの基部に、シリンダー錠の先端軸との結合孔３３ｂを有し、他端に後述するストッパーと当接する端部３３ｃを有する。
シリンダー錠３２と回動部材３３とは、シリンダー錠３２の内筒先端の結合孔３３ｂに挿入し、突き抜けた軸の先にナットを螺入して回動部材３３を締め付けることにより、結合される。結合孔３３ｂは図示のとおり、偏平であり、同形の内筒先端を挿入してナットで締めると固定され、内筒の回転に応じて回動部材３３も回動する。
【００３２】
次に、図５を参照して、装着部２０について説明する。
装着部２０は、ＡＴＭ５０の前扉の５４に設けられた、金属板からなるコの字状の下地部材２１と、その上に突出する３個の支持具２３，２３，２３に支持された円柱バー２４からなる上方係止部２２と、２個の支持具２６，２６に支持された円柱バー２７からなる下方係止部２５とで構成される。下地部材２１は、複数の押ビスｂでＡＴＭの前扉５４に螺着される。
【００３３】
下地部材を設ける理由は、上下の係止部２２，２５及び２個のストッパー３１，３１を一体に形成し、前扉にかかる局部荷重を軽減するためである。  
また、下地部材２１をコの字状とした理由は、イ、押ビスｂを螺入したとき、ＡＴＭの前扉５４の裏面に着設物がない安全位置であること、ロ、上方係止部の円柱バー１５ａと下方係止部の円柱バー１６ａを平行に配設するのに適していること、ハ、ストッパー３１を適所に２箇所設けられることなどであるが、コの字状に限定されるものではなく、イ〜ハの条件を満たすものであれば良い。
【００３４】
上下の係止部２２，２５の形状は、前述の上下の懸垂部１５，１６と係合したとき、局部的なガタツキや浮きが生じないように形成されたものであり、係合部は逆台形状になるから、防護カバー１０をＡＴＭの前扉５４に面的に係合する。
係止部２２，２５の支持バーを円柱とし、懸垂具１５ａ，１５ｂ、１６ａを逆釣り針状としたのは、懸垂を容易にするためであるが、これに限定されるものではなく、懸垂可能であればよい。
【００３５】
ストッパー３１は、縦断面Ｌ字状に設けられ、垂直部３１ａと水平部３１ｂとからなり、前述の回動部材３３と対応する２ヶ所に設けられる。すなわち、シリンダー錠３２を閉じたとき、回動部材３３の端部３３ｃがストッパーの水平部３１ｂの下面に当接するようシリンダー錠とストッパーの相対位置を選択する。
シリンダー錠３２を閉じた状態で、キーを抜くとロック状態となるので、回動部材３３がストッパー３１に引っかかって、上方への移動が阻止される。
また、キーを開けたとき、前記内筒断面中心と前記円環状部材の他端とを結ぶ直線は、前記ストッパー下面と、前記内筒断面の中心とを結ぶ直線を上限として、下方に所定の角度まで回動可能とすることにより、上方への移動がストッパーに阻害されることなくスムースに行われる。
【００３６】
上記の説明で明らかなとおり、本考案のプロテクターの係合手段はの懸垂部１５，１６と下地部材２１、及び係止部２２，２５とで構成される。また、施錠手段は、ピッキング対策用シリンダー錠３２と回動部材３３、及び下地部材２１とストッパー３１並びに図示しないキーとで構成される。
【００３７】
次に、上記プロテクター１を形成するプロテクターキットについて説明する。
プロテクターキット１は、懸垂部１５，１６及び回動部材３３を先端に取り付けたシリンダー錠３２等のカバー部材を備えた防護カバー１０、及び金属板からなるコの字状の下地部材２１と、その上に立設された３個の支持具２３，２３，２３に支持された円柱バー２４からなる上方係止部２２と、２個の支持具２６，２６に支持された円柱バー２７からなる下方係止部２５と、２個のストッパー３１，３１とを有する装着部材２０からなる。
【００３８】
この防護カバー１０は、自動取引装置の収納部前面５１、両側面５４及び上縁５３ｆ，５３ｓを覆うように装着できる形状を有する。
アルミニウム材でできているので軽量であり、一体に形成されていてもＡＴＭの収納部に装着するのが容易であるが、材料はアルミニウムに限定されるものではない。また、一体とせずさらに細かく（例えば、前面用、側面用など）組み立て可能に分割した部材としてもよい。
【００３９】
次に、図１に基づき、上記プロテクターキット１を用いて、ＡＴＭ５０の収納部に装着する方法について説明する。
先ず、下地部材２１をＡＴＭ５０の前扉５４に押しネジの径よりやや小径のステンレスキリで適当数の下孔を開ける。前扉内に配設される機器を損傷しないようステンレスキリには所定の深さ（例えば１５〜１６ｍｍ）以上に深く入らないようこストッパーを設けておく。そして、この下穴に押ネジｂをねじ込んで前扉５４に固定する。
【００４０】
次に、防護カバー１０の両側壁に設けられた手がかりｈ、ｈをもって、ＡＴＭ５０の上蓋５３より、４〜５ｃｍ持ち上げた状態で右側壁を先に嵌める。続いて左側壁を押し気味に嵌める。次に、前扉５４の方へ近づけて密着させた後、上下の懸垂部１５，１６が上下の係止部２２，２５に係止されるように落とし込む。
【００４１】
防護カバー１０がしっかりとはまったかどうか確認したうえで、図示しないキーを２個のシリンダー錠３２、３２の鍵穴に挿入して閉じる方向に９０度回転する。そうすると回動部材３３の端部３３ｃがストッパー３１，３１に当接する。そこでキーを抜くと、その状態でロックされる。このように、防護カバー１０は、ＡＴＭ本体に被せて施錠するだけで、固定されるので、防護カバー用の基板を別に設けてそれに固定するという必要はない。
【００４２】
このようにして形成された、自動取引装置用プロテクター１のその他の特徴について説明する。
防護カバー１０には、人間が前に立ったことを検知するセンサーに対応する窓Ｓ１や、ＡＴＭ５０の現金を支払口に対応する窓Ｃ１，Ｃ２が設けられているから、ＡＴＭの機能はそのまま生かされる。
また、ＡＴＭの前扉に設けられた接点Ｓ２ｂと対応する防護カバーに設けられた接点Ｓ２ａとが嵌め込んだ状態で接している。
【００４３】
前述のように本考案のプロテクター１は、防護カバー１０によってＡＴＭの収納部５１の隙間ｇが全く露出しないように覆うので、バールなどでこじ開けられることはないが、もし何らかの手段で防護カバーの取り外しを行なおうとしても、従来のものに比べて非常に時間がかかる。しかも、取り外しが行なわれようとした場合には、上記接点Ｓ２ａと接点Ｓ２ｂが離れ、回路がオープンになることを検知する検知器Ｄがこれを検知して警備センターに通報するようになっているから、５〜１０分の間に警備員が駆けつけ、盗賊を捕まえることができる。また、このことを予知した盗賊が配線ｗを切ったとすると、やはり、回路がオープンになるので、検知器Ｄはこれを検知する。
【００４４】
次に、キーを持っている係員がＡＴＭから現金の出し入れを行なったり、メンテナンスを行なうため防護カバー１０を取り外すときは、キーによって２箇所のシリンダー錠を開けるだけで、上方前方への移動が可能となり防護カバー１０を外すことができる。
防護カバーを外せば、収納部５１からの現金の出し入れや、メンテナンスは容易にできる。また、はずした防護カバー１０は周辺の適当な空きスペースに置いておけばよいので、図７に示す従来のプロテクターのように防護扉６４を開閉するための固定されたスペースを確保する必要がない。
【００４５】
上記の実施形態では、ＡＴＭの一例についてのプロテクターを説明したが、形状の異なるＡＴＭや他の用途の自動取引装置に対しては、その形状・構造に合わせて、適宜形状・構造を変更すればよく、要は、収納部をカバーし、バールなどでこじ開けられる隙間のないように自動取引装置をカバーする防護カバーと、これを係合手段、施錠手段で自動取引装置本体に固定できるようにしたものであればよい。
【００４６】
また、係合手段は、上下に平行に設けられた円柱バー及びその支持具を有する上下の係止部と、防護カバーのそれに係合する位置に設けられた上下懸垂部とからなるものとしたが、これに限定されるものではなく、下方及び前方への移動を阻止し、上方への移動可能の係合するものであればよい。そして、施錠手段は、先端に回動部材を有するピッキング対策用シリンダー錠とその回動部材の端部が当接するように設けられたストッパーとからなるものとしたが、これに限定されるものではなく、キーを閉じた時上方への移動を阻止し、開いたとき上方への移動を可能とするものであればよい。
【図面の簡単な説明】
【００４７】
【図１】本考案の自動取引装置用プロテクターの斜視図である。
【図２】プロテクターの主要部である防護カバーの斜視図である。
【図３】図２の防護カバーのＡ−Ａ′断面図である。
【図４】図２の防護カバーのＢ−Ｂ′断面図である。
【図５】係合手段及び施錠手段の装着部の正面図である。
【図６】施錠手段の回動部材の説明図である。
【図７】従来の自動取引装置の斜視図である。
【符号の説明】
【００４８】
１    自動取引装置用プロテクター
１０  防護カバー
１４  防護カバーの上縁  
１５  上方懸垂部  
１６  下方懸垂部
２０  装着部
２１  下地部材
２２  上方係止部
２５  下方係止部
３２  ピッキング対策用シリンダー錠
３３  回動部材
５０  ＡＴＭ
５１  収納部
【図１】
0003104940.tif 000003
【図２】
0003104940.tif 000004
【図３】
0003104940.tif 000005
【図４】
0003104940.tif 000006
【図５】
0003104940.tif 000007
【図６】
0003104940.tif 000008
【図７】
0003104940.tif 000009